(57)【要約】【課題】  本発明は、簡易にして安価でありながらも、豪華で見栄えの良い記章を、容易に作成できる記章を得ることにある。【解決手段】  短円筒形状の筒体２の一方の周縁の全周にわたって、細帯片でリング形状に形成した花弁片３の多数を並列状に連設し、この多数の花弁片３を筒体２の周縁に対して放射状に押し拡げた構成であり、多数のスリット５を平行に刻設することにより、各スリット５間に多数の花弁片部材３aを形成した矩形シート素材４の両端部を重ねて相互に貼着し、花弁片部材３aを花弁片３として放射状に押し拡げる。【選択図】        図５
2016005507.tif 000002
【特許請求の範囲】
【請求項１】
短円筒形状の筒体（２）の一方の周縁の全周にわたって、細帯片でリング形状に形成した花弁片（３）の多数を並列状に連設し、該多数の花弁片（３）を前記筒体（２）の周縁に対して放射状に押し拡げたことを特徴とする記章。
【請求項２】
矩形シート素材（４）の両端部を帯状の筒部材（２a）として残存させて、前記矩形シート素材（４）の中央部に、前記帯状の筒部材（２a）に直交する形態で多数のスリット（５）を平行に刻設することにより、各スリット（５）間に多数の花弁片部材（３a）を形成し、前記矩形シート素材（４）の中央部を湾曲させることにより、前記両端部の帯状の筒部材（２a）同士を重ねて相互に貼着し、更に重ねられた該筒部材（２a）を短円柱形状の芯体（７）の周面に巻回接着して、該筒部材（２a）を筒体（２）として形成し、筒部材（２a）と多数の花弁片部材（３a）の連接部分を筒体（２）の外方に向かって折り曲げることにより、細帯片でリング形状に形成された多数の花弁片部材（３a）を花弁片（３）として前記筒体（２）の周縁に対して放射状に押し拡げることを特徴とする記章の作成方法。
【請求項３】
両端部の帯状の筒部材（２a）同士を、筒部材（２a）の長さ方向に沿って位置ずれさせて重ねて相互に貼着することを特徴とする請求項２に記載の記章の作成方法。
【発明の詳細な説明】
【技術分野】
【０００１】
本発明は、冠婚葬祭、記念式典、パーティー等で衣服に装着する記章の構造とその作成方法に関するものである。
【背景技術】
【０００２】
記念式典、パーティー等では、各方面から多数の来客があり、客人がお互いに名前を知らないことが多々あり、名札として記章を衣服に装着することが行われる。特に表彰式典などで栄誉に属するような人に対しては、単純に名札代わりのリボンだけでなく、生花或いは造花の飾り付きの豪華にして目立つ記章が用いられることが多い。
【０００３】
これらの記章には、そのリボン部分に式典特有の名称が付されていたり、個人名が記載されていたりするので、個人が記念として持ち帰ることがあるにしても再使用することは少なく、従ってどうしても簡易で安価な製品が多かった。また、造花等の飾りも、紙製或いは布製の花弁片を数枚放射状に並べて花としてデフォルメした程度であって、扁平な面白味のないものである。
【先行技術文献】
【特許文献】
【０００４】
【特許文献１】実公平７−９７２号公報
【特許文献２】実公平７−２１１３１号公報
【発明の概要】
【発明が解決しようとする課題】
【０００５】
上記した各特許文献には、この種の記章の従来例が提示されているが、構成が単純であるだけに豪華さに欠け、見栄えの良くないものである。生花や凝った構造の造花はコストが嵩んだり、作成に手間がかかるといった問題がある。
【０００６】
よって本発明は、上述した従来技術の欠点、不都合、不満を解消するべく発明されたものであって、簡易にして安価でありながらも、豪華で見栄えの良い記章を、容易に作成できるようにすることにある。
【課題を解決するための手段】
【０００７】
上記課題を解決するため、本発明の記章は、短円筒形状の筒体の一方の周縁の全周にわたって、細帯片でリング形状に形成した花弁片の多数を並列状に連設し、この多数の花弁片を前記した筒体の周縁に対して放射状に押し拡げたことを特徴とする構成である。
【０００８】
また、本発明の記章の作成方法は、矩形シート素材の両端部を帯状の筒部材として残存させて、前記した矩形シート素材の中央部に、前記した帯状の筒部材に直交する形態で多数のスリットを平行に刻設することにより、各スリット間に多数の花弁片部材を形成し、前記した矩形シート素材の中央部を湾曲させることにより、前記した両端部の帯状の筒部材同士を重ねて相互に貼着し、更に重ねられたこの筒部材を短円柱形状の芯体の周面に巻回接着して、この筒部材を筒体として形成し、この筒体の一方の周縁である筒部材と多数の花弁片部材の連接部分を筒体の外方に向かって折り曲げることにより、細帯片でリング形状に形成された多数の花弁片部材を花弁片として前記した筒体の周縁に対して放射状に押し拡げることを特徴とする構成である。
【０００９】
この場合、両端部の帯状の筒部材同士を、筒部材の長さ方向に沿って位置ずれさせて重ねて相互に貼着することを特徴とする構成である。
【発明の効果】
【００１０】
従って本発明の記章は、筒体の周縁に放射状に押し拡げられた細帯片によるリング形状に形成した多数の花弁片が、例えば大輪の菊花の如きを現出させているので、従来のこの種製品の扁平な形態と異なり、立体的で極めて華やかなものになっている。細帯片によるリング形状に形成した多数の花弁片によるこの形態は単なる花のデフォルメではなく、例えば古典菊種に於ける奥州菊、伊勢菊、或いは大菊種に於ける管物、大掴み、厚物、厚走り等の現物を想起させる豪華なものになる。
【００１１】
また、本発明の記章の作成方法は、矩形シート素材の中央部に多数のスリットを平行に刻設して各スリット間に多数の花弁片部材を形成し、両端部に残存帯状の筒部材同士を重ねて相互に貼着し、筒部材を短円柱形状の芯体の周面に巻回接着して多数の花弁片部材を外方に向かって折り曲げて花弁片として放射状に押し拡げる構成であり、簡略且つ少ない工程で、立体的な記章を得ることができる。
【００１２】
更には、両端部の帯状の筒部材同士を筒部材の長さ方向に沿って位置ずれさせて重ねて相互に貼着すれば、花弁片部材が若干捻じれた形態となるので美麗な三次曲面となる等、本発明は簡易にして安価でありながらも、豪華で見栄えの良い記章を、容易に作成できるという多くの優れた作用効果を奏する。
【図面の簡単な説明】
【００１３】
【図１】本発明の記章本体の正面図である。
【図２】本発明の記章本体の背面図である。
【図３】本発明の記章本体の拡大したＡ−Ａ線断面図である。
【図４】本発明の記章の実施例を示す正面図である。
【図５】本発明の作成過程を示す説明図である。
【図６】部品の斜視図である。
【発明を実施するための形態】
【００１４】
本発明の記章１は、短円筒形状の筒体２の一方の周縁の全周にわたって、細帯片でリング形状に形成した花弁片３の多数を並列状に連設し、この多数の花弁片３を筒体２の周縁に対して放射状に押し拡げた構成である。
【００１５】
この記章１は、図５に示した工程で作成される（尚、図５での（a）から（d）は理解し易いように縮尺を異にして表現しているが、同一物である）。
【００１６】
即ち図５（a）にあって、矩形シート素材４の両端部を帯状の筒部材２aとして残存させて、前記した矩形シート素材４の中央部に、帯状の筒部材２aに直交する形態で多数のスリット５を平行に刻設することにより、各スリット５間に多数の花弁片部材３aを形成する。
【００１７】
そして図５（b）の如く、矩形シート素材４の中央部を湾曲させることにより、両端部の帯状の筒部材２a同士を重ねて接着部６部分で相互に貼着する。次いで、重ねられたこの筒部材２aを短円柱形状の芯体７の周面に巻回接着して、この筒部材２aを筒体２として形成するのである（図５（c）参照）。
【００１８】
更に、筒体２の一方の周縁である筒部材２aと多数の花弁片部材３aの連接部分を、折り曲げ線８部分で筒体２の外方に向かって折り曲げることにより、細帯片でリング形状に形成された多数の花弁片部材３aを花弁片３として、筒体２の周縁に対して放射状に押し拡げ、開花した菊花形状の記章１（図５（d）等参照）を得ることができる。
【００１９】
矩形シート素材４の両端にあって、一方の筒部材２aの外縁には切欠き９aが設けられ、また他方の筒部材２aの外縁で、この切欠き９aに対してスリット５の四本ほど位置ずれした位置には切欠き９ｂが設けられている。そこで、矩形シート素材４の中央部を湾曲させて筒部材２a同士を重ねる際、この切欠き９aと切欠き９ｂとを位置合わせすると、各花弁片部材３aが花弁片部材３a四本分だけ捻じれた形態となり、作成された記章１はより三次元的な形態となる。
【実施例】
【００２０】
矩形シート素材４は、紙製或いは薄い合成樹脂製であり、中央部を湾曲させた際に花弁片３の外面となる面を例えば金色、内面となる面を赤色とすれば、色彩上も絢爛なものとなる。或いは、外面を水色や黒色、内面を白色として弔事用として用いたり、更には様々な色の組み合わせのバリエーションが想定でき、内外面共に同一の単独色であってもよい。
【００２１】
図６等で示した芯体７は発泡スチロール製、ウレタン製等の適宜な材料が選択され、芯体７の表面側には、色彩を施し或いは加えて所定の文字・図柄等を印刷した装飾円板１０を貼着し、裏面側にはこの装飾円板１０よりも一回り大きい補強円板１１を貼着し、この補強円板１１の背面に止着ピン１２或いはピン付きクリップ等を装着する。
【００２２】
処で、前記したように筒部材２aと多数の花弁片部材３aの連接部分を折り曲げ線８部分で筒体２の外方に向かって折り曲げるのであるが、折り曲げ線８部分の復元力により、図３の断面図での矢示方向とは逆の方向にも拡がってしまう虞があり、止着ピン１２等を介して胸などに装着する際不都合であるばかりでなく、拡がり過ぎて不体裁でもある。そこで補強円板１１の直径を装飾円板１０或いは芯体７の直径に比べて大きく設定し、強制的に矢示方向にのみ拡がるようにしている。花弁片３が前方に膨出する形態となるため、装飾円板１０を含む筒体２が花弁片３に囲まれて突出する形態となり、更に立体的なものになる。
【００２３】
図４は、記章１の発展形であって、名前、地位等を表記した垂れ１３が付されている。
【符号の説明】
【００２４】
１  記章
２  筒体
２a  筒部材
３  花弁片
３a  花弁片部材
４  矩形シート素材
５  スリット
９a、９ｂ  切欠き
【図１】
2016005507.tif 000003
【図２】
2016005507.tif 000004
【図３】
2016005507.tif 000005
【図４】
2016005507.tif 000006
【図５】
2016005507.tif 000007
【図６】
2016005507.tif 000008
【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
短円筒形状の筒体（２）の一方端の全周にわたって、細帯片でリング形状に形成した花弁片（３）の多数を並列状に連設し、該多数の花弁片（３）を前記筒体（２）の周縁に対して放射状に押し拡げ、更に前記筒体（２）の一方端に、筒体（２）の直径よりも大きい直径の補強円板（１１）を貼着したことを特徴とする記章。
【手続補正２】
【補正対象書類名】明細書
【補正対象項目名】０００１
【補正方法】変更
【補正の内容】
【０００１】
本発明は、冠婚葬祭、記念式典、パーティー等で衣服に装着する記章の構造に関するものである。
【手続補正３】
【補正対象書類名】明細書
【補正対象項目名】０００７
【補正方法】変更
【補正の内容】
【０００７】
上記課題を解決するため、本発明の記章は、短円筒形状の筒体の一方端の全周にわたって、細帯片でリング形状に形成した花弁片の多数を並列状に連設し、この多数の花弁片を前記した筒体の周縁に対して放射状に押し拡げ、更に前記した筒体の一方端に、筒体の直径よりも大きい直径の補強円板を貼着したことを特徴とする構成である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】変更
【補正の内容】
【００１１】
また、筒体の一方端に、筒体の直径よりも大きい直径の補強円板を貼着したことにより、放射状に押し拡げられた多数の花弁片は筒体の他方方向にのみ強制的に拡がることになり、花弁片が前方に膨出する形態となるため、筒体が花弁片に囲まれて突出する形態となり、更に立体的なものになる。
【手続補正７】
【補正対象書類名】明細書
【補正対象項目名】００１２
【補正方法】変更
【補正の内容】
【００１２】
よって、本発明は簡易にして安価でありながらも、豪華で見栄えの良い記章を、容易に作成できるという多くの優れた作用効果を奏する。